(57)【要約】本発明は、概して、そこからの粒状物質流を加速する目的のために、粒状物質および同等物を含有する貯蔵容器の中へ比較的大量の加圧ガスを放出するための弁構造に関し、より具体的には、改良された動作のためにそのような弁構造を修正することに関する。衛生高圧弁アセンブリが、提供される。弁アセンブリは、貯蔵容器からの粒状物質流を補助する目的のために、粒状物質を含有する貯蔵容器の中へ放出するために衛生中心通路の中へ加圧ガスを投入するための入口アダプタを含む。弁アセンブリはまた、衛生中心通路から隔離される点検可能な部品を収納するための隔離チャンバを含む。
2019529826.tif 000002
【特許請求の範囲】
【請求項１】
衛生高圧エアレータ弁アセンブリであって、
略同軸の対向端部を有する主要本体と、
前記略同軸の対向端部のうちの一方の端部に取付可能な結合カラーと、
結合カラー端部の反対側の端部に取付可能な端部キャップと、
前記主要本体に取付可能な入口アダプタであって、前記入口アダプタは、前記略同軸の対向端部と略垂直である、入口アダプタと、
前記入口アダプタと前記結合カラー端部との間に配置される中心通路を備える空気チャンバと、
空気隔離チャンバと
を備える、衛生高圧エアレータ弁アセンブリ。
【請求項２】
前記空気隔離チャンバは、
波形ばねと、
前記波形ばねを圧縮するために前記波形ばねの両端上に配置される複数のブッシングと
を備える、請求項１に記載の衛生高圧エアレータ弁アセンブリ。
【請求項３】
前記主要本体の同軸端部および前記空気隔離チャンバと同軸である、前記中心通路の一部内で事前決定された距離にわたって摺動可能である、ワンピースの単一ピストン部材をさらに備え、前記ワンピースの単一ピストン部材は、
前記空気チャンバの前記結合カラー端部を密閉するために前記ワンピースの単一ピストン部材の一方の端部に配置される拡大ヘッドと、
前記拡大ヘッド端部の反対側の端部に、かつ前記隔離チャンバ内に配置される、ねじ山付き長端部と
を備え、ねじ山付き端部は、空気チャンバ隔離アセンブリによって前記中心通路から隔離される、
請求項２に記載の衛生高圧エアレータ弁アセンブリ。
【請求項４】
前記ワンピースの単一ピストン部材はさらに、張力ばね孔を備え、ばね張力孔の場所は、ばね定数、空気圧、および第１の事前決定された距離の関数として事前決定される、請求項３に記載のワンピースの単一ピストン部材。
【請求項５】
前記第１の事前決定された距離は、０．１２５インチである、請求項４に記載のワンピースの単一ピストン部材。
【請求項６】
前記ねじ山付き端部の長さは、ばね定数、空気圧、および第２の事前決定された距離の関数として事前決定される、請求項３に記載のワンピースの単一ピストン部材。
【請求項７】
前記第２の事前決定された距離は、０．０９３インチである、請求項６に記載のワンピースの単一ピストン部材。
【請求項８】
圧縮ばねの張力を調節するためのばねテンショナをさらに備える、請求項３に記載の衛生高圧エアレータ弁。
【請求項９】
高圧エアレータ弁であって、
内部空気流チャンバを有するノーズ端部と、
内部空気流チャンバを有する主要本体であって、前記ノーズ端部および前記主要本体の空気流チャンバは、前記主要本体および前記ノーズ端部を通して連続空気流チャンバを提供するように噛合可能である、主要本体と、
前記主要本体に噛合可能な後部本体と、
前記後部本体に噛合可能な端部キャップであって、前記端部キャップは、内部スロットを備える、端部キャップと、
前記主要本体と前記後部本体との間に配置されるワイパシールと
を備え、前記後部本体、端部キャップ、およびワイパシールは、前記空気流チャンバから隔離される空気隔離チャンバを形成する、
高圧エアレータ弁。
【請求項１０】
少なくとも１つのばねと、
張力を前記少なくとも１つのばねに印加するための少なくとも１つのテンショナと
をさらに備える、請求項９に記載の空気隔離チャンバ。
【請求項１１】
前記少なくとも１つのテンショナは、
ばねテンショナと、
ブッシングと、
前記ばねテンショナと前記ブッシングとの間に配置されるワッシャと
を備える、請求項１０に記載の空気隔離チャンバ。
【請求項１２】
空気流チャンバおよび前記空気隔離チャンバの一部内で事前決定された距離に摺動可能である、ワンピースの単一ピストン部材をさらに備え、前記ワンピースの単一ピストン部材は、
空気チャンバの結合カラー端部を密閉するために前記ワンピースの単一ピストン部材の一方の端部に配置される拡大ヘッドと、
前記拡大ヘッド端部の反対側の端部に、かつ前記隔離チャンバ内に配置される、ねじ山付き長端部と
を備える、請求項１１に記載の空気隔離チャンバ。
【請求項１３】
ねじ山付き端部の長さは、前記ばねテンショナに取付可能である、請求項１２に記載の空気隔離チャンバ。
【請求項１４】
ねじ山付き端部の長さは、ばね定数および空気圧の関数として事前決定される、請求項１２に記載のワンピースの単一ピストン部材。
【請求項１５】
前記ワンピースの単一ピストン部材はさらに、張力ばね孔を備え、ばね張力孔の場所は、ばね定数および空気圧の関数として事前決定される、請求項１２に記載のワンピースの単一ピストン部材。
【請求項１６】
長方形のキーをさらに備え、前記長方形のキーは、前記内部スロットと噛合可能である、請求項１２に記載のワンピースの単一ピストン部材。
【発明の詳細な説明】
【技術分野】
【０００１】
本願は、下記出願（「関連出願」）に関連しており、下記出願からの最先の有効出願日を主張するものであり（例えば、仮特許出願以外のものに対して最先の有効優先日を主張する）、下記出願の全主題をそのような主題が本明細書と不整合にならない範囲で参照により全面的に援用するものである。また、本願は、任意のおよび全ての親出願、親出願の親出願、親出願の親出願の親出願等、関連出願のうちの出願からの最先の有効優先日を主張するものであり、そして、これらの全主題をそのような主題が本明細書と不整合にならない範囲で参照により全面的に援用するものである。
本願は、２０１６年９月９日に出願され“Ｓａｎｉｔａｒｙ  Ｈｉｇｈ  Ｐｒｅｓｓｕｒｅ  Ａｅｒａｔｏｒ  Ｖａｌｖｅ”と題された係属出願第１５／２６１６３４号の一部継続出願である。
【０００２】
本発明は、概して、そこからの粒状物質流を加速する目的のために、粒状物質および同等物を含有する貯蔵容器の中へ比較的大量の加圧ガスを放出するための弁構造に関し、より具体的には、改良された動作のためにそのような弁構造を修正することに関する。
【背景技術】
【０００３】
貯蔵容器内の開口部から粒子状物質を放出することは、容器の中のいずれかの場所で起こり得るが、通常、容器の放出出口の近傍で起こる、容器壁上の粒子状物質の詰まり、架橋、ラットホーリング、または粘着性蓄積により、ある時は、厄介である。本詰まりは、多くの場合、粒子状物質が湿性である、またはそれを粘着性にする添加剤を含有するときに悪化する。多数の試行が、本問題を軽減するために過去に行われてきた。例えば、粒子状物質を含有するホッパの容器壁または傾斜側面上に１つ以上のガス放出デバイスを搭載することが提案されている。そのような放出補助デバイスは、ホッパの中へガスのブラストを指向し、材料が従来の重力によって放出されることができるように材料内容物の詰まりおよび架橋を低減させる、または米国特許第３，７８８，５２７号に開示されるように、他の装填解除機器を支援するために、ホッパの中へ延在するノズルを有する。空気ブラスタまたは空気パルシング等のそのような従来技術の放出補助デバイスは、種々の程度の商業的成功を満たしているが、デバイスは全て、開口部を介してデバイスの中へ進入し、内部機構を汚染し、デバイスを部分的または完全に動作不能にする、粒子状物質および微粒子を受ける、開放放出端を有する。従来技術デバイスの本欠点は、高価な修理、清掃、および生産の損失のために動作停止を余儀なくさせる。
【０００４】
また、従来技術のデバイスの構造の性質によって、周辺外側筐体への内部ピストン部材の厳密な公差が、これらの空気ブラスタが効率的に動作するために必要である。これは、周辺環境内の温度変化が、異なる熱膨張係数を有する部品の間の結合を引き起こし、それによって、最終的な動作故障を引き起こし得る、問題を生成する。これらの温度変動は、季節的もしくは日常的である、変化する環境条件によって引き起こされる、または関与する産業プロセスによって生成され得る。
【０００５】
これらの従来技術の弁構造の動作とともに起こる関連する深刻な問題は、弁自体または溶接物等のその搭載プレートに由来する金属部品で貯蔵された粒子状物質を汚染することである。
【０００６】
現在、商業的に広く使用されている本タイプのエアレータ弁はまた、上記の従来技術の特許に開示されるよりも少数の可動部品を有して開発されている。残念ながら、修正された弁構造は、依然として、溶接物を伴って加工された重要構成要素を有することに少なくとも部分的に起因する、上記の動作困難の多くを起こす傾向があるままである。基本的に、修正された弁構造は、中心内側通路を終端する前端および後端を伴う外側筐体と、外側筐体の中の中心通路内に摺動可能に係合される、可動ピストン部材と、前端および後端の中間で外側筐体の中の中心通路内に添着される、ばね荷重ピストンガイド部材と、加圧ガス媒質を供給してピストン部材を前方に駆動し、通路の前端を外し、加圧ガスを周囲の大気に放出する、空気圧弁機構とを含む。商業用弁デバイスを構築する際に、ピストン部材は、中心通路の前端を密閉する拡大ヘッド終端部を伴って設計され、部材は、従来の溶接によってともに継合された複数の構成要素部品で形成されている。より具体的には、部材の別個の拡大ヘッド部分に螺合され、それに溶接される、機械加工されたロッドが、採用され、拡大ヘッド部分はさらに、溶接された端部キャップを伴って終端する。弁構造で採用されるばね荷重ピストンガイド部材への金属圧縮ばねのなおもさらなる溶接は、採用される場合、貯蔵容器の中に溶接断片を導入することに付随して起こる弁動作中の頻繁なデバイス故障の誘因となる。
【０００７】
本タイプの弁デバイスによる前述の動作困難を克服するために、現在、少数の内部部品を有し、依然としてさらに、改良された様式で様々な貯蔵容器に添着されることができる、改良された空気圧動力型ガス放出弁構造が提供されている。その際に、本弁デバイスは、貯蔵されている粒子状物質と内側容器壁との間に放出されている加圧ガス媒質の反復パルスを指向するように、１つ以上の貯蔵容器側壁上の配設のために高流量パルス型電気ソレノイド弁に接続され得る。現在改良されている弁デバイスの複数の配設が、所望に応じて、貯蔵容器の側壁を中心として均等に離間されている個々の弁を用いることで考慮される。貯蔵容器側壁または複数の側壁への現在改良されている弁構造の添着はまた、費用削減および要求される保守または弁除去のために単純化されている。より具体的には、従来技術の弁配設は、習慣的に、弁デバイスを容器側壁に物理的に固着するために、別の平坦な搭載フランジに結合される平坦な搭載プレートを採用し、容器側壁は、多くの場合、そのような接合の様式を遂行するために大幅な溶接を要求する、曲線輪郭を有する。それから明確に異なるように、現在改良されている弁構造は、新規の溶接搭載カラーを用いて、容器側壁への弁デバイスの接合を可能にする。
【０００８】
したがって、より少数の溶接されていない内部稼働部品を有する、動作上改良されたガス動力型放出補助デバイスを提供することが、本発明の目的である。
【０００９】
構成要素部品の比較的単純な修正のみを要求する様式で、現在改良されているガス放出デバイスを提供することが、本発明の別の目的である。
【００１０】
本発明のなおもさらなる目的は、改良された手段を提供することであって、それによって、現在改良されているガス放出デバイスは、貯蔵容器の側壁に物理的に固着されることができる。
【００１１】
現在改良されているガス放出デバイスと搭載手段との間に新規の協働を提供することが、本発明のさらに別の目的であり、それによって、デバイスは、貯蔵容器側壁に物理的に固着されることができる。
【００１２】
本発明のこれらおよびなおもさらなる目的は、本発明の以下の詳細な説明を考慮することに応じて、明白となるであろう。
【先行技術文献】
【特許文献】
【００１３】
【特許文献１】米国特許米国特許第３，７８８，５２７号明細書
【発明の概要】
【課題を解決するための手段】
【００１４】
本発明は、衛生高圧エアレータ弁アセンブリを対象としている。衛生高圧エアレータ弁アセンブリは、略同一線上の対向端部を有する、主要本体と、主要本体の一方の端部に取付可能な結合カラーと、結合カラー端部の反対側の端部に取付可能な端部キャップと、主要本体に取付可能な入口アダプタとを含み、入口アダプタは、略同一線上の対向端部と略垂直である。主要本体はまた、加圧ガスが閉鎖位置でピストンヘッドを保持する圧縮ばねを克服するために十分であるときに、容器の中に加圧ガスを導入するための衛生中心内側通路も含む。加えて、アセンブリは、点検可能な部品を収納するための隔離チャンバを含み、衛生中心通路から隔離される。
【００１５】
本発明はまた、略同軸の対向端部を有する主要本体を有する、衛生高圧エアレータ弁アセンブリも対象としている。結合カラーが、略同軸の対向端部のうちの一方の端部に取付可能であり、端部キャップが、結合カラー端部の反対側の端部に取付可能である。加えて、入口アダプタが、主要本体に取付可能であり、入口アダプタは、略同軸の対向端部と略垂直である。衛生高圧エアレータ弁アセンブリはまた、入口アダプタと結合カラー端部との間に配置される中心通路を備える、空気チャンバも含み、材料を捕捉する傾向があり得る、中心通路内に配置された非空気力学的部品がない。
【００１６】
本発明の別の実施形態によると、衛生高圧エアレータ弁アセンブリが提供される。衛生高圧エアレータ弁アセンブリは、円形出口ポートと、キャップ端部と、入口ポートとを有する、主要本体を含む。中心通路を備える空気チャンバは、入口ポートと出口ポートとの間に配置され、材料（例えば、有機材料）を捕捉し得る、中心通路内に配置された非空気力学的部品がない。衛生高圧エアレータ弁アセンブリは、キャップ端部から中心通路を隔離するための空気チャンバ隔離アセンブリを含む。衛生高圧エアレータ弁アセンブリはまた、主要本体の同軸端部と同軸である中心通路の一部内で事前決定された距離にわたって摺動可能である、ワンピースの単一ピストン部材（ｏｎｅ−ｐｉｅｃｅ  ｕｎｉｔａｒｙ  ｐｉｓｔｏｎ  ｍｅｍｂｅｒ）も含む。ワンピースの単一ピストン部材は、空気チャンバの結合カラー端部を密閉するためにワンピースの単一ピストン部材の一方の端部に配置される、拡大ヘッドと、拡大ヘッド端部の反対側の端部に配置される、ねじ山付き長端部とを含み、ねじ山付き端部は、空気チャンバ隔離アセンブリによって中心通路から隔離される。
【００１７】
本発明はまた、内部空気流チャンバを有するノーズ端部と、内部空気流チャンバを有する主要本体とを有する、高圧エアレータ弁も対象としている。ノーズ端部および主要本体空気流チャンバは、主要本体およびノーズ端部を通して連続空気流チャンバを提供するように噛合可能である。高圧エアレータ弁はまた、主要本体に噛合可能な後部本体と、後部本体に噛合可能な端部キャップとを含む。ワイパシールが、主要本体と後部本体との間に配置される。後部本体、端部キャップ、およびワイパシールは、動作中に空気流チャンバから隔離される空気隔離チャンバを形成する。
【図面の簡単な説明】
【００１８】
本発明と見なされる主題は、本明細書の終わりに請求項の中で具体的に指摘され、明確に請求される。本発明の前述および他の目的、特徴、ならびに利点は、付随する図面と併せて考慮される、以下の発明を実施するための形態から明白である。
【００１９】
【図１】図１は、以前に説明された従来技術のガス動力型放出弁の部分的に断面の側面図である。
【図２】図２は、本発明による、衛生高圧エアレータ弁アセンブリの斜視図である。
【図２Ａ】図２Ａは、図２に示される本発明による、開放位置におけるピストン弁および衛生高圧エアレータ弁アセンブリを通した空気流を示す、衛生高圧エアレータ弁アセンブリの部分断面斜視図である。
【図３】図３は、図２に示される本発明による、衛生高圧エアレータ弁アセンブリの分解図である。
【図４】図４は、図２に示される本発明による、主要本体の斜視図である。
【図５】図５は、図２に示される本発明による、主要本体のノーズ斜視図である。
【図６】図６は、図２に示される本発明による、衛生高圧エアレータ弁アセンブリの部分アセンブリキャップ端部斜視図である。
【図７】図７は、図２に示される本発明による、衛生高圧エアレータ弁アセンブリの部分的アセンブリノーズ端部斜視図である。
【図８】図８は、図２に示される本発明による、衛生高圧エアレータ弁アセンブリの部分的アセンブリ斜視図である。
【図８Ａ】図８Ａは、図２に示される本発明による、端部キャップ、後部本体、ワイパシール、およびピストンシャフトによって形成される、隔離された空気チャンバを特に示す、衛生高圧エアレータ弁アセンブリの部分的断面アセンブリ斜視図である。
【図９】図９は、図２に示される本発明による、ピストンアセンブリ弁の部分的分解図である。
【図１０】図１０は、図２に示される本発明による、端部キャップ１０７弁の内側図である。
【発明を実施するための形態】
【００２０】
以下の用語の簡潔な定義は、本願の全体を通して適用されるものとする。
【００２１】
用語「〜を備える」は、「限定されないが、〜を含む」を意味し、それが典型的に特許の文脈で使用される様式で解釈されるべきである。
【００２２】
語句「一実施形態では」、「一実施形態による」、および同等物は、概して、その語句に続く特定の特徴、構造、または特性が、本発明の少なくとも１つの実施形態に含まれ得、かつ本発明の１つを上回る実施形態に含まれ得ることを意味する（重要なこととして、そのような語句は、必ずしも同一の実施形態を指すとは限らない）。
【００２３】
本明細書が、「例示的」または「実施例」として何かを説明する場合、それが非排他的実施例を指すことを理解されたい。
【００２４】
本明細書が、ある構成要素または特徴が、含まれ「てもよい」またはある特性を有し「てもよい」、含まれる「ことができる」またはある特性を有する「ことができる」、含まれ「得る」またはある特性を有し「得る」、含まれる「べきである」またはある特性を有する「べきである」、「好ましくは」含まれるまたは「好ましくは」ある特性を有する、「おそらく」含まれるまたは「おそらく」ある特性を有する、「典型的には」含まれるまたは「典型的には」ある特性を有する、「随意に」含まれるまたは「随意に」ある特性を有する、「例えば」含まれるまたは「例えば」ある特性を有する、または、含まれる「場合がある」またはある特性を有する「場合がある」と（または他のそのような言葉）を記述する場合、その特定の構成要素または特徴は、含まれるまたはその特性を有することを要求されない。
【００２５】
ここで図面の図１を参照すると、現在商業的に使用されている、以前に説明された従来技術のガス動力型放出弁１０の側面図が部分的に断面で示されている。記述され得るように、描写される弁構造は、多部品金属ピストン部材１２ならびに多部品金属ピストンガイド部材１４を採用し、構成要素部品の両方は、以前にも指摘されたように、溶接物を伴って加工されている。円筒弁構造はさらに、金属フランジ１８に物理的に固着された外側金属筐体１６を含み、これは、ひいては、従来のねじ山付きボルト２２を用いて金属搭載プレート部材２０に締結されている。本図面にさらに示されるように、搭載プレート部材２０は、付加的溶接物を用いて貯蔵容器側壁２４に添着されている。ピストンガイド部材１４の後端に対して配置される圧縮ばね２６は、弁構造の中空中心通路２８への加圧ガスの投入によって作動されるまで閉鎖された弁を保つ。従来の電気ソレノイド弁機構３０は、空気および同等物等の加圧ガス媒質を中心通路の後端に供給してピストン部材１２を前方に駆動し、通路の前端を密閉解除し、加圧ガスを貯蔵容器の内部に放出する。動作のために、ソレノイド弁機構３０は、圧縮空気供給ライン（図示せず）に取り付けられることができ、４０〜１００ｐｓｉ範囲内のガス圧力において、通常、１／４＋Ｌ秒の持続時間にわたってパルスされたとき、圧縮ばね２６は、克服され、ピストン部材１２は、前方に移動して、放出弁を開放し、全周方向に加圧ガスを放出する。パルス終了に応じて、内部ばね部材２６は、即時に、ピストン部材を再着座させ、大抵は、貯蔵容器から内側弁体の中への粒状物質のいかなる進入も遮断する。従来技術のデバイス１０において特に注目すべきことは、加圧ガス流がデバイスの後部からであり、したがって、デバイスの後部から放出弁開口部までの開放空気チャネルを要求するということである。例えば、ばね部材２６の隙間に捕捉される任意の粒子状物質が貯蔵容器の中へ吹き込まれ、それを汚染する可能性が高いことが理解され得る。
【００２６】
図２も参照すると、閉鎖位置における弁頭１０５を伴う衛生高圧エアレータ弁アセンブリ１００の斜視図が示されている。図２には、主要本体１０１、入口１０２、端部キャップクランプ１０３、端部クランプ蝶ナット１０３Ａ、カラークランプ１０４、およびカラークランプ蝶ナット１０４Ａが示されている。また、図２には、拡大ピストンヘッド１０５も示されている。
【００２７】
依然として、図２を参照すると、入口アダプタ１０２軸ｚが高圧エアレータ１００のｘ−ｘ軸と略垂直および同一平面であることが理解されるであろう。入口アダプタ１０２へのエルボ結合部（図示せず）等の結合部は、ソレノイド弁（図示せず）の都合のよい位置付けのために回転されることができ、エアレータ１００ユニット、具体的には、例えば、容器上のより高い高度において、アクセス可能性が問題である場所に配設されるものの効率的な保守を促進するとともに、空気ホースの設置に対してより優れた配設融通性を提供する。入口アダプタ１０２はまた、標準トライクローバフランジ１０２Ａ等の衛生接続フランジも含む。
【００２８】
また、図２には、エアレータ弁１００の単純化された配設および除去を可能にする、迅速解放クランプ１０３、１０４および関連付けられる蝶ナット１０３Ａ、１０４Ａが示されている。本特徴は、多くの場合、ねじ山付き搭載結合部に螺入され、ロックナットを用いて緊締され、したがって、エアレータ弁１００を配設および除去するために手工具を要求する、従来技術の解決策と比べて、有益であることが理解されるであろう。迅速解放クランプ１０３、１０４は、例えば、トライクローバクランプアセンブリ等の任意の好適なタイプの衛生クランプであってもよい。
【００２９】
端部キャップ１０７は、迅速解放クランプ１０３を介して後部本体１０１に添着される。迅速解放クランプ１０３は、点検のための除去可能な部品へのアクセスのために、端部キャップ１０７が迅速かつ容易に配設および除去されることを可能にする。本明細書に開示される新規の特徴は、エアレータ弁を除去および修理するために工具および複数のステップの使用を要求する、図１に示されるような従来技術の設計と比べて有利であることが理解されるであろう。
【００３０】
図２Ａも参照すると、図２に示される本発明による、開放位置におけるピストン弁頭１０５および衛生高圧エアレータ弁アセンブリ１００を通した空気流を示す、衛生高圧エアレータ弁アセンブリの部分的断面斜視図が示されている。本明細書でさらに詳細に説明されるであろうように、経路２Ａ１に沿った空気流は、入口ポート１０２を介して進入し、チャンバ１０１Ａ１に沿って進行し、波形ばね２２０３の復元力を克服するために十分な圧力がある場合、ピストンヘッド１０５は、強制的に開放し、加圧空気が間隙２Ａ２を介して逃散することを可能にする。加圧空気が除去される、または波形ばね２２０３の復元力を克服するために不十分であるとき、波形ばねは、ピストン弁シャフト１０５Ａに接続されるばねテンショナ２２０５に隣接するワッシャ２２０４に隣接してブッシング２２０２を押し、ピストン弁頭１０５を閉鎖位置まで押進させる、すなわち、もはや空気がチャンバ１０１Ａから逃散するための間隙２Ａ２がなくなる。例えば、波形ばねまたはコイルばね等の任意の好適な復元力が採用され得ることが理解されるであろう。
【００３１】
図３も参照すると、図２に示される本発明による、衛生高圧エアレータ弁アセンブリの分解図が示されている。図３には、溶接搭載カラー２０１も示されている。実践では、搭載カラー２０１は、金属壁を有する任意の保持容器または機器に溶接される。主要本体１０１に取り付けられたノーズ端部１０１Ａは、搭載カラー２０１を通して挿入され、カラークランプ１０４およびカラークランプ蝶ナット１０４Ａ（図２に示される）を介して、搭載カラーおよびガスケット２２０７とともに結合される。代替的実施形態では、搭載カラー２０１は、搭載フランジを含んでもよい。（搭載フランジ有無にかかわらず）搭載カラー２０１は、任意の好適な手段、例えば、好適な接着剤または締結具を介して、容器壁に添着され得ることが理解されるであろう。また、搭載カラー２０１は、代替的結合手段のために雌ねじ付きであり得ることが理解されるであろう。
【００３２】
依然として、図３を参照すると、ノーズ端部１０１Ａは、主要本体１０１に嵌合される。ガスケット２２０６は、主要本体１０１とノーズ端部１０１Ａとの間の気密シールを確実にすることに役立つ。後部本体１０１Ｂは、主要本体１０１に嵌合される。ワイパシール８０５が、後部本体１０１Ｂと主要本体１０１との間に挟持され、ワイパシール８０５を通したピストンシャフト１０５Ａの摺動可能な移動を可能にしながら、気密シールを形成するようにピストンシャフト１０５Ａに嵌合される。ワイパシール８０５および後部本体１０１Ｂは、エアレータ弁１００の復元力端部３３０１から主要本体１０１の内部空気チャンバ（図５：４４０１）を隔離することが理解されるであろう。
【００３３】
依然として、図３を参照すると、波形ばね２２０３は、ブッシング２２０１とブッシング２２０２との間に挟持される。ピストンシャフト１０５Ａは、ブッシング２２０１、２２０２および波形ばね２２０３を通して摺動可能であり、テンショナ２２０５に接続される。テンショナ２２０５は、雌ねじ付きであり、ピストンシャフト１０５Ａ上の噛合ねじ山（図８：１０５Ｂ参照）を介してピストンシャフト１０５Ａに接続されてもよい。代替的実施形態では、テンショナ２２０５は、ピストンシャフト孔１０５Ｃ（図９：１０５Ｃ）を通してピン（図９：２２０５Ａ）を用いてピストンシャフト１０５Ａにピン留めされてもよい。テンショナ２２０５は、噛合可能なねじ山およびピンによってピストンシャフト１０５Ａに接続され得ることが理解されるであろう。また、代替的実施形態では、ブッシング２２０２、ワッシャ２２０４、およびテンショナ２２０５は、単一の一体部品であり得ることも理解されるであろう。
【００３４】
依然として、図３を参照すると、波形ばね２２０３は、ブッシング２２０２に対する復元力を提供し、これは、ピストンシャフト１０５Ａに取り付けられたテンショナ２２０５に対して当接したワッシャ２２０４を押し、したがって、ノーズ端部１０１Ａに対してピストン弁頭１０５のピストン弁頭下面１０５Ｄを閉鎖または当接することが理解されるであろう。入口１０２を通して主要本体１０１に進入する加圧流体（例えば、空気）は、ピストン弁頭下面１０５Ｄを押し、波形ばね２２０３の力を克服するために十分な圧力が、ピストンシャフト１０５Ａを開放位置まで摺動し、加圧流体（例えば、空気）がピストン弁頭１０５の縁の周囲から逃散することを可能にすることが理解されるであろう。加圧流体が除去される、または波形ばね２２０３の復元力を克服するために不十分であるとき、波形ばねは、弁頭１０５をその閉鎖位置に戻すように動作する、すなわち、弁頭１０５の下面１０５Ｄがノーズ端部１０１Ａに対して当接される。
【００３５】
図４も参照すると、図２に示される本発明による、主要本体１０１の斜視図が示されている。図４は、後部本体１０１Ｂと噛合される噛合面３３０２を示す。図４はまた、ワイパシール８０５が嵌合される、ワイパシール挿入面積３３０１も示す。
【００３６】
図５も参照すると、図２に示される本発明による、主要本体１０１のノーズ斜視図が示されている。図５は、ノーズ端部１０１Ａと噛合される噛合面４４０２を示す。図５はまた、入口１０２を通して主要本体１０１から退出する空気流路５５０１も示す。動作時、主要本体１０１から退出する空気流路５５０１に沿った加圧空気は、ノーズ端部１０１Ａに進入し、弁頭１０５の下面１０５Ｄを押すであろうことが理解されるであろう。
【００３７】
図６も参照すると、図２に示される本発明による、衛生高圧エアレータ弁アセンブリ１００の部分アセンブリキャップ端部斜視図が示されている。ワイパシール８０５が、主要本体空気チャンバ（図５参照）から復元力区分３３０１を隔離し、ピストンシャフト１０５Ａの摺動可能な動作を可能にするように、後部本体１０１Ｂに対して当接している。図６には、復元力区分３３０１を収納する隔離されたチャンバを形成するようにともに噛合された、後部本体１０１Ｂ、ガスケット２２０８、および端部キャップ１０７も示されている。
【００３８】
図７も参照すると、図２に示される本発明による、衛生高圧エアレータ弁アセンブリ１００の部分的アセンブリノーズ端部斜視図が示されている。図７には、内部空気チャンバ１０１Ａ１およびガスケット２２０６が示されている。ガスケット２２０６は、ノーズ端部１０１Ａと主要本体１０１との間に気密シールを形成するように主要本体１０１に対して噛合される。主要本体から退出する空気流５５０１（図５参照）は、空気チャンバ１０１Ａ１の中に進入することが理解されるであろう。
【００３９】
図８も参照すると、図２に示される本発明による、衛生高圧エアレータ弁アセンブリ１００の部分的アセンブリ斜視図が示されている。図８は、ねじ山付き弁シャフト１０５Ｂ上のブッシング２２０１、２２０２、波形ばね２２０３、ワッシャ２２０４、およびテンショナ２２０５の相対的位置を示す。張力調節器２２０５は、圧縮ばね２２０３によってピストン１０５に印加される張力を調節する。張力調節器２２０５は、菊ナットまたはスロット付きナット等の任意の好適な張力調節器であってもよい。
【００４０】
図８Ａも参照すると、図２に示される本発明による、端部キャップ１０７、後部本体１０１Ｂ、ワイパシール８０５、およびピストンシャフト１０５Ａによって形成される、隔離された空気チャンバを特に示す、衛生高圧エアレータ弁アセンブリの部分的断面アセンブリ斜視図が示されている。ブッシング２２０１、波形ばね２２０３、ブッシング２２０２、およびテンショナ２２０５は、前述の要素によって形成される、隔離された空気チャンバ内に含有されることが理解されるであろう。
【００４１】
図９も参照すると、図２に示される本発明による、ピストンアセンブリ弁の部分的分解図が示されている。金属ピストン１０５Ａ上の張力ばねピン孔１０５Ｂの場所は、張力ばね孔１０５が可視であるように、張力調節器２２０５が調節されるときに、所望のばね張力のために事前決定される。張力ばね孔１０５Ｂの場所は、ばね２２０３と関連付けられる所望のばね定数および予期される空気圧の関数として事前決定されることが、さらに理解されるであろう。例えば、孔１０５Ｂは、距離Ｄが、圧縮ばね８０３と関連付けられる、所与のまたは事前決定されたばね定数および予期される空気圧に関して、０．１２５インチであるように、ピストン１０５Ａ上に位置することができる。同様に、スロット付きテンショナ１２０１は、テンショナ２２０５がねじ山１０５Ｂの端部において底部に達するまで、ピストン１０５Ａのねじ山１０５Ｂ（図８参照）上で旋回されてもよい。ねじ山またはねじ山長１０５Ｂの端部は、距離Ｄが所与のばね定数および空気圧に関して０．０９３インチであるように、事前決定されてもよい。
【００４２】
図９には、弁シャフト長方形端部またはキー１０５Ｄも示されている。弁シャフトキー１０５Ｄは、図１０に示される端部キャップ１０７内の長方形スロット１０７Ｄと噛合するように適合可能である。エアレータ１００が完全に組み立てられたとき、スロット１０７Ｄの中へ嵌合される弁シャフト長方形端部１０５Ｄは、回転することができないことが理解されるであろう。
【００４３】
前述の説明は、本発明の例証にすぎないことを理解されたい。したがって、種々の代替物および修正が、本発明から逸脱することなく、当業者によって考案されることができる。故に、本発明は、添付の請求項の範囲内に入る、全てのそのような代替物、修正、および変形を包含することを意図している。
【図１】
2019529826.tif 000003
【図２】
2019529826.tif 000004
【図２Ａ】
2019529826.tif 000005
【図３】
2019529826.tif 000006
【図４】
2019529826.tif 000007
【図５】
2019529826.tif 000008
【図６】
2019529826.tif 000009
【図７】
2019529826.tif 000010
【図８】
2019529826.tif 000011
【図８Ａ】
2019529826.tif 000012
【図９】
2019529826.tif 000013
【図１０】
2019529826.tif 000014
【国際調査報告】
2019529826.tif 000015
2019529826.tif 000016
2019529826.tif 000017
2019529826.tif 000018